(57)【要約】【課題】現場状況を確認するための建物等の扉の鍵の受渡しが容易な鍵管理システムを提供する。【解決手段】電子鍵装置５００は、警備領域の建物の扉を解錠または施錠するための鍵情報を記憶し、電子錠装置２００は、電子鍵装置５００から送信された鍵情報と予め格納された錠情報を照合して扉を解錠または施錠する。警備装置１００は、センサ１０１が警備領域での異常を検知した場合に、識別情報と警報情報を監視センタ３００に送信する。監視センタ３００は、送受信部３０１が識別情報と警報情報を受信し、鍵情報特定部３０２が識別情報に対応する鍵情報を特定し、送受信部３０１が鍵情報を鍵情報受渡装置４００に送信する。鍵情報受渡装置４００は、送受信部４０１が鍵情報を受信し、通信部４０２が鍵情報を電子鍵装置５００に送信する。【選択図】    図１
2008134982.tif 000002
【特許請求の範囲】
【請求項１】
警備領域の建物の扉を解錠または施錠するための鍵情報を記憶する電子鍵装置と、前記電子鍵装置から送信された前記鍵情報と予め格納された錠情報を照合して前記扉を解錠または施錠する電子錠装置と、前記警備領域の異常を検知する警備装置と、前記警備装置とネットワークで接続され、前記鍵情報を管理する鍵情報管理装置と、前記鍵情報管理装置とネットワークで接続され、前記鍵情報を前記電子鍵装置に受け渡す鍵情報受渡装置とを備えた鍵管理システムにおいて、
前記警備装置は、
当該警備装置を識別する識別情報を記憶する識別情報記憶手段と、
前記警備領域での異常を検知する検知手段と、
前記検知手段が異常を検知した場合に、前記識別情報記憶手段に記憶された前記識別情報と、前記警備領域で検知した異常に関する情報を示す警報情報とを前記鍵情報管理装置に送信する警報送信手段と、を備え、
前記鍵情報管理装置は、
前記識別情報と、前記警備領域の建物の扉の鍵情報とを対応付けて記憶する鍵情報記憶手段と、
前記警備装置から送信された前記識別情報と前記警報情報とを受信する警報受信手段と、
前記警報受信手段によって受信された前記識別情報に対応する前記鍵情報記憶手段に記憶された前記鍵情報を特定する鍵情報特定手段と、
前記鍵情報特定手段によって特定された前記鍵情報を前記鍵情報受渡装置に送信する鍵情報送信手段と、を備え、
前記鍵情報受渡装置は、
前記鍵情報管理装置から送信された前記鍵情報を受信する鍵情報受信手段と、
前記鍵情報受信手段によって受信した前記鍵情報を前記電子鍵装置に送信する通信手段と、
を備えることを特徴とする鍵管理システム。
【請求項２】
前記鍵情報管理装置は、
前記警備領域に出動可能な隊員を示す隊員識別情報を記憶する隊員情報記憶手段と、
前記隊員情報記憶手段に記憶された前記隊員識別情報の中から前記警報情報に対応する隊員を選択する隊員選択手段と、をさらに備え、
前記鍵情報送信手段が、前記鍵情報受渡装置に前記鍵情報と前記隊員識別情報とを送信し、
前記鍵情報受渡装置は、
前記鍵情報受信手段が、前記鍵情報管理装置から前記鍵情報と前記隊員識別情報とを受信し、
前記通信手段が、前記鍵情報受信手段によって受信した前記鍵情報を、前記隊員識別情報に対応する前記電子鍵装置に送信すること、を特徴とする請求項１に記載の鍵管理システム。
【請求項３】
前記鍵情報管理装置は、
前記隊員情報記憶手段が、さらに前記隊員識別情報に対応付けて、隊員が所持する携帯端末のアドレスを記憶し、
前記鍵情報送信手段が、前記隊員選択手段によって選択された前記隊員識別情報に対応する前記携帯端末のアドレスを宛先として前記鍵情報を送信し、
前記鍵情報受渡装置は、前記携帯端末であり、
前記通信手段が、前記鍵情報受信手段によって受信した前記鍵情報を前記電子鍵装置に送信すること、を特徴とする請求項１に記載の鍵管理システム。
【請求項４】
錠を解錠または施錠するための鍵情報を記憶する電子鍵装置と、前記電子鍵装置から送信された前記鍵情報と予め格納された錠情報を照合して前記錠を解錠または施錠する電子錠装置と、前記鍵情報を管理する鍵情報管理装置と、前記鍵情報管理装置とネットワークで接続され、前記鍵情報を前記電子鍵装置に受け渡す携帯端末とを備えた鍵管理システムにおいて、
前記鍵情報管理装置は、
前記錠が設置されている場所を識別する場所識別情報と、前記錠に応じた鍵情報とを対応付けて記憶する鍵情報記憶手段と、
前記場所識別情報を取得する取得手段と、
前記取得手段によって取得された前記場所識別情報に対応する前記鍵情報記憶手段に記憶された前記鍵情報を特定する鍵情報特定手段と、
前記鍵情報特定手段によって特定された前記鍵情報を前記携帯端末に送信する鍵情報送信手段と、を備え、
前記携帯端末は、
前記鍵情報管理装置から送信された前記鍵情報を受信する鍵情報受信手段と、
前記鍵情報受信手段によって受信した前記鍵情報を前記電子鍵装置に送信する通信手段と、
を備えることを特徴とする鍵管理システム。
【請求項５】
錠を解錠または施錠するための鍵情報を記憶する電子鍵装置と、前記電子鍵装置から送信された前記鍵情報と予め格納された錠情報を照合して前記錠を解錠または施錠する電子錠装置と、前記電子錠装置が設置された監視領域を撮像する撮像装置と、前記撮像装置とネットワークで接続され、前記撮像装置によって撮像された画像情報を受信する画像監視装置とを備えた画像管理システムにおいて、
前記撮像装置は、
前記監視領域を撮像した画像情報と、前記画像情報を撮像した時刻を示す時刻情報と、前記撮像装置を識別する撮像装置識別情報とを前記画像監視装置に送信する送信手段、を備え、
前記画像監視装置は、
前記電子錠装置を識別する錠識別情報と、前記錠識別情報で識別された前記電子錠装置を撮像する前記撮像装置を識別する前記撮像装置識別情報とを対応付けて記憶する設置情報記憶手段と、
前記撮像装置から送信された前記画像情報と、前記時刻情報と、前記撮像装置識別情報とを受信する画像受信手段と、
前記画像受信手段によって受信された前記画像情報と、前記時刻情報と、前記撮像装置識別情報とを対応付けて記憶する撮像画像記憶手段と、
前記電子鍵装置から出力された当該電子鍵装置を識別する鍵識別情報と、当該電子鍵装置によって施解錠した前記電子錠装置を識別する錠識別情報と、前記電子錠装置を施解錠した時刻を示す施解錠時刻情報とを対応付けたログ情報を取得するログ取得手段と、
前記ログ取得手段によって取得された前記ログ情報を記憶するログ記憶手段と、
前記画像情報を検索するための検索条件として前記錠識別情報を取得する条件取得手段と、
前記ログ記憶手段から、前記錠識別情報に対応する前記施解錠時刻情報を取得し、
前記設置情報記憶手段から、前記錠識別情報に対応する前記撮像装置識別情報を取得し、
前記撮像画像記憶手段から、前記施解錠時刻情報および前記撮像装置識別情報に対応する前記画像情報を検索する画像検索手段と、
前記画像検索手段によって検索された前記画像情報を表示する画像表示手段と、を備えることを特徴とする画像管理システム。
【請求項６】
前記条件取得手段は、前記検索条件として前記鍵識別情報を取得し、
前記画像検索手段は、前記ログ記憶手段から、前記条件取得手段によって取得された前記鍵識別情報に対応する前記施解錠時刻情報および前記錠識別情報を取得し、
前記設置情報記憶手段から、前記錠識別情報に対応する前記撮像装置識別情報を取得し、
前記撮像画像記憶手段から、前記施解錠時刻情報および前記撮像装置識別情報に対応する前記画像情報を検索すること、を特徴とする請求項５に記載の画像管理システム。
【請求項７】
前記鍵識別情報と、前記鍵識別情報に識別された前記電子鍵装置を所持する者を識別する所持者識別情報とを対応付けて記憶する所持情報記憶手段、をさらに備え、
前記条件取得手段は、前記検索条件として前記所持者識別情報を取得し、
前記画像検索手段は、前記所持情報記憶手段から、前記条件取得手段によって取得された前記所持者識別情報に対応する前記鍵識別情報を取得し、
前記ログ記憶手段から、取得された前記鍵識別情報に対応する前記施解錠時刻情報および前記錠識別情報を取得し、
前記設置情報記憶手段から、前記錠識別情報に対応する前記撮像装置識別情報を取得し、
前記撮像画像記憶手段から、前記施解錠時刻情報および前記撮像装置識別情報に対応する前記画像情報を検索すること、を特徴とする請求項５に記載の画像管理システム。
【請求項８】
前記画像表示手段は、前記画像情報を時系列に表示すること、を特徴とする請求項５〜７のいずれか一つに記載の画像管理システム。
【請求項９】
前記画像表示手段は、前記画像情報とともに前記時刻情報を表示すること、を特徴とする請求項５〜８のいずれか一つに記載の画像管理システム。
【請求項１０】
前記画像検索手段によって検索する前記画像情報の撮像時刻の範囲を取得する撮像時刻取得手段、をさらに備え、
前記画像検索手段は、さらに前記撮像時刻取得手段によって取得された前記撮像時刻の範囲内の前記画像情報を検索すること、を特徴とする請求項５〜９のいずれか一つに記載の画像管理システム。
【発明の詳細な説明】
【技術分野】
【０００１】
本発明は、鍵管理システムおよび画像管理システムに関するものであり、特に鍵管理システムは警報に対応するために必要となる警備領域への出入口扉の鍵の管理に関し、画像管理システムは錠が設置されている扉付近を撮像する画像情報の管理に関する。
【背景技術】
【０００２】
従来、警備会社が警備している警備領域で異常が検知された場合に、警報を監視センタに送信し、警報を受信した監視センタでは、隊員を警備領域に出動させ、現場状況の確認等の警報への対応を行う。この場合、隊員は、警備領域内での確認作業を行うため、出入口扉の鍵を所持して現場に向かう必要があり、鍵の受渡しが煩雑であるという問題があった。
【０００３】
このような問題を解決するものとして、隊員の状態を管理する情報に鍵所持情報を持つことによって隊員が所持する鍵を管理する監視システムが開示されている（特許文献１参照）。かかる監視システムでは、監視センタにおいて隊員が所持している鍵を把握することができるため、警報が発せられた警備領域内の建物の出入口扉の鍵を所持している隊員を優先的に現場に向かわせることにより、効率よく現場状況を確認することができる。
【０００４】
【特許文献１】特開２００６−２８５６４３号公報
【発明の開示】
【発明が解決しようとする課題】
【０００５】
しかしながら、上記特許文献１に記載された技術では、警備領域内の建物の出入口扉の施解錠する鍵は、顧客から預かった物理的な１本の鍵であるため、他の作業を行っている隊員が鍵を所持していれば、現場に向かう途中で鍵を受取るか、鍵の返却を待って出動する必要があった。また、他の現場から警報が送信された現場に向かう場合に、隊員が出動する警備領域の建物の鍵を所持していなければ、鍵を保管している保管所に一旦立ち寄り、鍵を持ち出して現場に向かわなければならなかった。
【０００６】
また、警備のため建物の出入口扉や金庫扉等の錠が設置されている扉付近を監視カメラで撮像し、撮像した画像情報をハードディスク装置等に記憶している場合であって、それらの扉の開閉に対して何らかの事故が発生した場合に、ハードディスク装置等に記憶されている画像情報の中から錠を施解錠した人物を確認するために錠を施解錠した時の画像情報を見つけ出すには、記憶されている画像情報のすべてについて人手を掛けて確認する必要があった。
【０００７】
本発明は、上記に鑑みてなされたものであって、現場状況を確認するための建物等の扉の鍵の受渡しが容易な鍵管理システムおよび画像情報を容易に検索できる画像管理システムを提供することを目的とする。
【課題を解決するための手段】
【０００８】
上述した課題を解決し、目的を達成するために、請求項１にかかる発明は、警備領域の建物の扉を解錠または施錠するための鍵情報を記憶する電子鍵装置と、前記電子鍵装置から送信された前記鍵情報と予め格納された錠情報を照合して前記扉を解錠または施錠する電子錠装置と、前記警備領域の異常を検知する警備装置と、前記警備装置とネットワークで接続され、前記鍵情報を管理する鍵情報管理装置と、前記鍵情報管理装置とネットワークで接続され、前記鍵情報を前記電子鍵装置に受け渡す鍵情報受渡装置とを備えた鍵管理システムにおいて、前記警備装置は、当該警備装置を識別する識別情報を記憶する識別情報記憶手段と、前記警備領域での異常を検知する検知手段と、前記検知手段が異常を検知した場合に、前記識別情報記憶手段に記憶された前記識別情報と、前記警備領域で検知した異常に関する情報を示す警報情報とを前記鍵情報管理装置に送信する警報送信手段と、を備え、前記鍵情報管理装置は、前記識別情報と、前記警備領域の建物の扉の鍵情報とを対応付けて記憶する鍵情報記憶手段と、前記警備装置から送信された前記識別情報と前記警報情報とを受信する警報受信手段と、前記警報受信手段によって受信された前記識別情報に対応する前記鍵情報記憶手段に記憶された前記鍵情報を特定する鍵情報特定手段と、前記鍵情報特定手段によって特定された前記鍵情報を前記鍵情報受渡装置に送信する鍵情報送信手段と、を備え、前記鍵情報受渡装置は、前記鍵情報管理装置から送信された前記鍵情報を受信する鍵情報受信手段と、前記鍵情報受信手段によって受信した前記鍵情報を前記電子鍵装置に送信する通信手段と、を備えることを特徴とする。
【０００９】
また、請求項２にかかる発明は、請求項１に記載の鍵管理システムにおいて、前記鍵情報管理装置は、前記警備領域に出動可能な隊員を示す隊員識別情報を記憶する隊員情報記憶手段と、前記隊員情報記憶手段に記憶された前記隊員識別情報の中から前記警報情報に対応する隊員を選択する隊員選択手段と、をさらに備え、前記鍵情報送信手段が、前記鍵情報受渡装置に前記鍵情報と前記隊員識別情報とを送信し、前記鍵情報受渡装置は、前記鍵情報受信手段が、前記鍵情報管理装置から前記鍵情報と前記隊員識別情報とを受信し、前記通信手段が、前記鍵情報受信手段によって受信した前記鍵情報を、前記隊員識別情報に対応する前記電子鍵装置に送信すること、を特徴とする。
【００１０】
また、請求項３にかかる発明は、請求項１に記載の鍵管理システムにおいて、前記鍵情報管理装置は、前記隊員情報記憶手段が、さらに前記隊員識別情報に対応付けて、隊員が所持する携帯端末のアドレスを記憶し、前記鍵情報送信手段が、前記隊員選択手段によって選択された前記隊員識別情報に対応する前記携帯端末のアドレスを宛先として前記鍵情報を送信し、前記鍵情報受渡装置は、前記携帯端末であり、前記通信手段が、前記鍵情報受信手段によって受信した前記鍵情報を前記電子鍵装置に送信すること、を特徴とする。
【００１１】
また、請求項４にかかる発明は、錠を解錠または施錠するための鍵情報を記憶する電子鍵装置と、前記電子鍵装置から送信された前記鍵情報と予め格納された錠情報を照合して前記錠を解錠または施錠する電子錠装置と、前記鍵情報を管理する鍵情報管理装置と、前記鍵情報管理装置とネットワークで接続され、前記鍵情報を前記電子鍵装置に受け渡す携帯端末とを備えた鍵管理システムにおいて、前記鍵情報管理装置は、前記錠が設置されている場所を識別する場所識別情報と、前記錠に応じた鍵情報とを対応付けて記憶する鍵情報記憶手段と、前記場所識別情報を取得する取得手段と、前記取得手段によって取得された前記場所識別情報に対応する前記鍵情報記憶手段に記憶された前記鍵情報を特定する鍵情報特定手段と、前記鍵情報特定手段によって特定された前記鍵情報を前記携帯端末に送信する鍵情報送信手段と、を備え、前記携帯端末は、前記鍵情報管理装置から送信された前記鍵情報を受信する鍵情報受信手段と、前記鍵情報受信手段によって受信した前記鍵情報を前記電子鍵装置に送信する通信手段と、を備えることを特徴とする。
【００１２】
また、請求項５にかかる発明は、錠を解錠または施錠するための鍵情報を記憶する電子鍵装置と、前記電子鍵装置から送信された前記鍵情報と予め格納された錠情報を照合して前記錠を解錠または施錠する電子錠装置と、前記電子錠装置が設置された監視領域を撮像する撮像装置と、前記撮像装置とネットワークで接続され、前記撮像装置によって撮像された画像情報を受信する画像監視装置とを備えた画像管理システムにおいて、前記撮像装置は、前記監視領域を撮像した画像情報と、前記画像情報を撮像した時刻を示す時刻情報と、前記撮像装置を識別する撮像装置識別情報とを前記画像監視装置に送信する送信手段、を備え、前記画像監視装置は、前記錠識別情報と、前記錠識別情報で識別された前記電子錠装置を撮像する前記撮像装置を識別する前記撮像装置識別情報とを対応付けて記憶する設置情報記憶手段と、前記撮像装置から送信された前記画像情報と、前記時刻情報と、前記撮像装置識別情報とを受信する画像受信手段と、前記画像受信手段によって受信された前記画像情報と、前記時刻情報と、前記撮像装置識別情報とを対応付けて記憶する撮像画像記憶手段と、前記電子鍵装置から出力された当該電子鍵装置を識別する鍵識別情報と、当該電子鍵装置によって施解錠した前記電子錠装置を識別する錠識別情報と、前記電子錠装置を施解錠した時刻を示す施解錠時刻情報とを対応付けたログ情報を取得するログ取得手段と、前記ログ取得手段によって取得された前記ログ情報を記憶するログ記憶手段と、前記画像情報を検索するための検索条件として前記錠識別情報を取得する条件取得手段と、前記ログ記憶手段から、前記錠識別情報に対応する前記施解錠時刻情報を取得し、前記設置情報記憶手段から、前記錠識別情報に対応する前記撮像装置識別情報を取得し、前記撮像画像記憶手段から、前記施解錠時刻情報および前記撮像装置識別情報に対応する前記画像情報を検索する画像検索手段と、前記画像検索手段によって検索された前記画像情報を表示する画像表示手段と、を備えることを特徴とする。
【００１３】
また、請求項６にかかる発明は、請求項５に記載の画像管理システムにおいて、前記条件取得手段は、前記検索条件として前記鍵識別情報を取得し、前記画像検索手段は、前記ログ記憶手段から、前記条件取得手段によって取得された前記鍵識別情報に対応する前記施解錠時刻情報および前記錠識別情報を取得し、前記設置情報記憶手段から、前記錠識別情報に対応する前記撮像装置識別情報を取得し、前記撮像画像記憶手段から、前記施解錠時刻情報および前記撮像装置識別情報に対応する前記画像情報を検索すること、を特徴とする。
【００１４】
また、請求項７にかかる発明は、請求項５に記載の画像管理システムにおいて、前記鍵識別情報と、前記鍵識別情報に識別された前記電子鍵装置を所持する者を識別する所持者識別情報とを対応付けて記憶する所持情報記憶手段、をさらに備え、前記条件取得手段は、前記検索条件として前記所持者識別情報を取得し、前記画像検索手段は、前記所持情報記憶手段から、前記条件取得手段によって取得された前記所持者識別情報に対応する前記鍵識別情報を取得し、前記ログ記憶手段から、取得された前記鍵識別情報に対応する前記施解錠時刻情報および前記錠識別情報を取得し、前記設置情報記憶手段から、前記錠識別情報に対応する前記撮像装置識別情報を取得し、前記撮像画像記憶手段から、前記施解錠時刻情報および前記撮像装置識別情報に対応する前記画像情報を検索すること、を特徴とする。
【００１５】
また、請求項８にかかる発明は、請求項５〜７のいずれか一つに記載の画像管理システムにおいて、前記画像表示手段は、前記画像情報を時系列に表示すること、を特徴とする。
【００１６】
また、請求項９にかかる発明は、請求項５〜８のいずれか一つに記載の画像管理システムにおいて、前記画像表示手段は、前記画像情報とともに前記時刻情報を表示すること、を特徴とする。
【００１７】
また、請求項１０にかかる発明は、請求項５〜９のいずれか一つに記載の画像管理システムにおいて、前記画像検索手段によって検索する前記画像情報の撮像時刻の範囲を取得する撮像時刻取得手段、をさらに備え、前記画像検索手段は、さらに前記撮像時刻取得手段によって取得された前記撮像時刻の範囲内の前記画像情報を検索すること、を特徴とする。
【発明の効果】
【００１８】
本発明によれば、警備領域で異常を検知され警報を送信された場合に、警備領域の建物の扉の鍵情報を一括して管理している鍵情報管理装置から当該警備領域に対応する鍵情報を鍵情報受渡装置に送信し、送信された鍵情報を電子鍵装置に格納し、警備領域の建物の扉を鍵情報が格納された電子鍵装置で施解錠することができるため、警報に対応する隊員に迅速に鍵を受け渡すことができ、警備領域に迅速に出動することができるとともに、警報に迅速に対応することができるという効果を奏する。
【００１９】
また、本発明によれば、電子鍵装置による操作履歴であるログ情報と、電子錠装置と撮像装置を関連付ける情報を用いて、撮像装置が撮像した画像情報の中から検索条件に合った施解錠操作時の画像情報を検索して表示することができるため、膨大な画像情報の中から必要とする画像情報を短時間で容易に検索し、確認することができるという効果を奏する。
【発明を実施するための最良の形態】
【００２０】
以下に添付図面を参照して、本発明にかかる鍵管理システムの最良な実施の形態を詳細に説明する。なお、本発明はこれらの実施の形態に限定されるものではない。
【００２１】
（第１の実施の形態）
第１の実施の形態について、添付図面を参照して説明する。第１の実施の形態にかかる鍵管理システムは、警報が送信された警備領域の建物の出入口扉を施解錠することができる鍵情報を最寄りの鍵情報受渡装置に送信し、送信された鍵情報を電子鍵装置に送信し、格納する。鍵情報が格納された電子鍵装置を用いて、警備領域の出入口扉に設置された電子錠装置を解錠する。
【００２２】
まず、本発明が適用される鍵管理システムの構成例について説明する。図１は、第１の実施の形態にかかる鍵管理システムの構成を示すブロック図である。
【００２３】
本実施の形態にかかる鍵管理システム１０は、警備装置１００と、電子錠装置２００と、監視センタ３００と、鍵情報受渡装置４００と、電子鍵装置５００を備え、警備装置１００と、監視センタ３００と、鍵情報受渡装置４００は、電話回線、無線ネットワーク、インターネットなどのネットワーク６００を介して接続されている。
【００２４】
警備装置１００は、警備会社が警備を依頼されている警備領域１、例えば戸建住宅や、集合住宅、テナントビル、オフィスビル等ごとに配置され、ネットワーク６００に複数接続されている。警備装置１００は、さらにセンサ１０１と、検知情報取得部１０２と、送受信部１０３と、警備装置情報記憶部１１０とを備える。
【００２５】
センサ１０１は、警備領域の異常を検知する。センサ１０１は、例えば赤外線の受光量の変化をもとに人を検知する赤外線センサ、赤外線などが遮られることで人を検知する遮断センサ、電磁波の乱れで人を検知する気配センサ、マグネットにより扉の開閉を検出するマグネットセンサなどの各種センサである。なお、センサ１０１は、通常警備領域に複数設置されている。
【００２６】
検知情報取得部１０２は、センサ１０１が異常を検知した際に送信する検知情報を取得する。警備装置情報記憶部１１０は、ネットワーク６００上に設置されている複数の警備装置の中から当該警備装置を識別するための警備装置識別情報を記憶する。
【００２７】
送受信部１０３は、検知情報取得部１０２によって検知情報が取得された場合、警報情報と、警備装置情報記憶部１１０に記憶された警備装置識別情報とを監視センタ３００に送信する。ここで、警報情報とは、警備領域で検知した異常に関する情報であり、例えば、警報および異常を検知したセンサの位置や検知時間等が含まれる。
【００２８】
電子錠装置２００は、警備領域１の建物の出入口扉の施解錠を行う装置である。電子錠装置２００は、後述する電子鍵装置５００と通信して出入口扉の施解錠を行う。なお、電子錠装置２００は、警備領域の建物の出入口扉に限らず、集合住宅やテナントビル等では、出入口扉に加え、警備対象であれば各住戸や各テナントの出入口扉に設置されていてもよい。電子錠装置２００は、さらに通信部２０１と、鍵照合部２０２と、施解錠部２０３と、錠情報記憶部２１０と、ログ情報記憶部２２０とを備える。
【００２９】
通信部２０１は、後述する電子鍵装置５００の通信部５０１との間で通信し、電子鍵装置５００から送信された鍵情報を受信する。なお、通信部２０１は、電子鍵装置５００と通信する際に、電力も供給されるため、電力の供給を受けるための配線が必要なく、従来の錠を電子錠装置２００に容易に交換することができる。また、電子鍵装置５００から電力の供給を受けることができるため、災害等で停電した場合であっても施解錠が可能である。
【００３０】
鍵照合部２０２は、通信部２０１によって受信した鍵情報と、錠情報記憶部２１０に記憶された錠情報とを照合し、錠情報に応じた鍵情報であるか否かを判定する。施解錠部２０３は、鍵照合部２０２によって錠情報に応じた鍵情報であると判定された場合、施錠時には解錠し、解錠時には施錠する。
【００３１】
錠情報記憶部２１０は、電子鍵装置５００から送信される鍵情報が正当であるか否かの判定をするための錠情報を記憶する。ログ情報記憶部２２０は、通信部２０１が電子鍵装置５００と通信した内容、日時や鍵照合部２０２による照合結果、施解錠の記録等の操作履歴を記憶する。
【００３２】
監視センタ３００は、警備装置１００から送信された警報情報と警備装置識別情報とを受信するとともに、警備装置識別情報に対応する鍵情報を鍵情報受渡装置４００に送信する。監視センタ３００は、本発明にかかる鍵情報管理装置を構成する。監視センタ３００は、さらに送受信部３０１と、鍵情報特定部３０２と、隊員選択部３０３と、ＶＰＮ（Virtual Private Network）ルータ３０４と、鍵情報データベース３１０と、隊員情報データベース３２０とを備える。
【００３３】
送受信部３０１は、警備装置１００から送信された警報情報と識別情報とを受信する。また、送受信部３０１は、ＶＰＮルータ３０４を介して鍵情報を鍵情報受渡装置４００に送信する。
【００３４】
ＶＰＮルータ３０４は、鍵情報受渡装置４００のＶＰＮルータ４０４との間で暗号化やＶＰＮ処理を行い、ＶＰＮルータ間に仮想施設網によるトンネルを構築する。監視センタ３００から鍵情報受渡装置４００に鍵情報を送信する際は、ＶＰＮトンネル内を通過させることにより、セキュリティを確保することができる。
【００３５】
鍵情報データベース３１０は、警備装置が設置されている警備領域の建物の出入口扉に対応する鍵情報を格納する。図２は、鍵情報データベースのデータ構成の一例を示す説明図である。鍵情報データベース３１０は、識別情報と、鍵情報とを対応付けて記憶している。図２に示すように、警備装置識別情報に対応する鍵情報は、１つの場合でも複数の場合でもよい。警備領域に複数の電子錠装置２００が設置されている場合でも、鍵情報を一括して管理することができ、１つの電子鍵装置５００に格納することができる。
【００３６】
鍵情報特定部３０２は、送受信部３０１によって受信した警備装置識別情報に対応する鍵情報を鍵情報データベース３１０から特定する。
【００３７】
隊員情報データベース３２０は、出動可能な隊員に関する情報を格納する。図３は、隊員情報データベースのデータ構成の一例を示す説明図である。隊員情報データベース３２０は、隊員識別情報と、隊員状態情報とを対応付けて記憶している。隊員選択部３０３は、隊員情報データベース３２０に格納されている隊員識別情報を選択する。
【００３８】
鍵情報受渡装置４００は、隊員が出動を待つ待機所に設置される。従来使用していた物理的な鍵の保管場所より多くの場所に設置することによって、隊員が必要とする鍵を入手でき、より迅速に出動することが可能となる。鍵情報受渡装置４００は、さらに送受信部４０１と、通信部４０２と、隊員照合部４０３とを備える。
【００３９】
送受信部４０１は、監視センタ３００からＶＰＮルータ４０４を介して送信された隊員識別情報と鍵情報とを受信する。隊員照合部４０３は、送受信部４０１から受信した隊員識別情報と、通信部４０２から受信した隊員識別情報とを照合する。
【００４０】
通信部４０２は、電子鍵装置５００との間で通信を行い、電子鍵装置５００から隊員識別情報を受信する。また、通信部４０２は、隊員照合部４０３によって隊員識別情報を照合し、一致すると判定した場合は、電子鍵装置５００に鍵情報を送信する。
【００４１】
電子鍵装置５００は、警備領域１に設置された電子錠装置２００との通信を行い、当該電子錠装置２００に応じる鍵情報を格納している場合には、当該電子錠装置２００が解錠または施錠される。電子鍵装置５００は、さらに通信部５０１と、鍵情報記憶部５１０と、隊員識別情報記憶部５２０と、ログ情報記憶部５３０とを備える。
【００４２】
隊員識別情報記憶部５２０は、当該電子鍵装置５００を所持する隊員を識別するための隊員識別情報を予め記憶する。通信部５０１は、隊員識別情報記憶部５２０に記憶された隊員識別情報を鍵情報受渡装置４００に送信し、鍵情報受渡装置４００から送信された鍵情報を受信する。
【００４３】
鍵情報記憶部５１０は、鍵情報受渡装置４００から送信された鍵情報を記憶する。ログ情報記憶部５３０は、当該電子鍵装置５００が電子錠装置２００の操作履歴、例えば通信した電子錠装置２００の識別情報、通信日時、照合結果、施解錠の記録等を格納する。なお、このようなログ情報を利用することによって、隊員の作業内容を把握することもできる。
【００４４】
次に、以上のように構成されている鍵管理システムによる鍵管理処理について説明する。まず、警備装置１００での処理を説明する。図４は、警備装置の検知情報取得部、送受信部が行う警報送信処理手順を示すフローチャートである。
【００４５】
まず、検知情報取得部１０２は、センサ１０１が異常を検知した場合に送信される検知情報を取得したか否かを判断する（ステップＳ４０１）。検知情報を取得していないと判断した場合は（ステップＳ４０１：Ｎｏ）、ステップＳ４０１の処理を繰り返す。検知情報を取得したと判断した場合は（ステップＳ４０１：Ｙｅｓ）、送受信部１０３は警備装置情報記憶部１１０から警備装置識別情報を取得する（ステップＳ４０２）。送受信部１０３は、警報情報と警備装置識別情報を監視センタ３００に送信する（ステップＳ４０３）。
【００４６】
次に、監視センタ３００での処理を説明する。図５は、監視センタの送受信部、鍵情報特定部、隊員選択部が行う鍵情報特定・送信処理手順を示すフローチャートである。
【００４７】
送受信部３０１は、警備装置１００から警報情報と警備装置識別情報を受信したか否かを判断する（ステップＳ５０１）。警報情報と警備装置識別情報を受信していないと判断した場合は（ステップＳ５０１：Ｎｏ）、ステップＳ５０１の処理を繰り返す。警報情報と警備装置識別情報を受信したと判断した場合は（ステップＳ５０１：Ｙｅｓ）、鍵情報特定部３０２は鍵情報データベース３１０から警備装置識別情報に対応する鍵情報を特定する（ステップＳ５０２）。
【００４８】
隊員選択部３０３は、警備装置１００から送信された警報に対応する隊員を隊員情報データベース３２０から選択する（ステップＳ５０３）。なお、隊員情報データベース３２０には、隊員が出動中か待機中かのいずれかの状態が格納されているため、待機中の隊員識別情報をモニタに表示し、表示された隊員識別情報のうちの１つを指示することにより、隊員を選択するようにしてもよい。
【００４９】
送受信部３０１は、鍵情報と隊員識別情報を鍵情報受渡装置４００に送信する（ステップＳ５０４）。なお、鍵情報および隊員識別情報は、監視センタ３００のＶＰＮルータ３０４と鍵情報受渡装置４００のＶＰＮルータ４０４との間で実現されるＶＰＮトンネルを通過して、鍵情報受渡装置４００に送信される。これにより、鍵情報がネットワーク６００上で盗聴される可能性を減少させ、セキュリティを向上することができる。
【００５０】
次に、鍵情報受渡装置４００および電子鍵装置５００の処理を説明する。図６は、鍵情報受渡装置の送受信部、通信部、隊員照合部、電子鍵装置の通信部が行う鍵情報受渡処理手順を示すフローチャートである。
【００５１】
鍵情報受渡装置４００の送受信部４０１は、監視センタ３００から送信された鍵情報と隊員識別情報を受信する（ステップＳ６０１）。隊員は、所持している電子鍵装置５００を鍵情報受渡装置４００の通信部４０２に挿入する。なお、赤外線通信のような無線通信を行う場合は、通信部４０２の近傍に電子鍵装置５００を近付ける。これにより、電子鍵装置５００の通信部５０１と鍵情報受渡装置４００の通信部４０２との間で、接触または非接触で通信が可能となる。電子鍵装置５００の通信部５０１は、隊員識別情報記憶部５２０に記憶された隊員識別情報を鍵情報受渡装置４００に送信する（ステップＳ６０２）。
【００５２】
鍵情報受渡装置４００の通信部４０２は、電子鍵装置５００から隊員識別情報を受信する（ステップＳ６０３）。隊員照合部４０３は、監視センタ３００から受信した隊員識別情報と、電子鍵装置５００から受信した隊員識別情報とが一致するか否かを判断する（ステップＳ６０４）。隊員識別情報が一致すると判断した場合は（ステップＳ６０４：Ｙｅｓ）、通信部４０２は鍵情報を電子鍵装置５００に送信する（ステップＳ６０５）。
【００５３】
電子鍵装置５００の通信部５０１は、鍵情報受渡装置４００から送信された鍵情報を受信する（ステップＳ６０６）。通信部５０１は、受信した鍵情報を鍵情報記憶部５１０に格納する（ステップＳ６０７）。
【００５４】
ステップＳ６０４において、隊員識別情報が一致しないと判断した場合は（ステップＳ６０４：Ｎｏ）、エラー処理を行い、処理を終了する。エラー処理とは、例えばエラーメッセージをモニタに表示したり、スピーカから出力することにより、隊員に鍵情報が電子鍵装置５００に格納されていない旨を報知する。
【００５５】
次に、電子鍵装置５００および電子錠装置２００の処理を説明する。図７は、電子鍵装置の通信部、電子錠装置の通信部、鍵照合部、施解錠部が行う施解錠処理手順を示すフローチャートである。
【００５６】
まず、電子鍵装置５００の通信部５０１を電子錠装置２００の通信部２０１に挿入する。電子鍵装置５００の通信部５０１は、鍵情報記憶部５１０に記憶された鍵情報と、隊員識別情報を電子錠装置２００に送信する（ステップＳ７０１）。
【００５７】
電子錠装置２００の通信部２０１は、電子鍵装置５００から送信された鍵情報と隊員識別情報を受信する（ステップＳ７０２）。鍵照合部２０２は、錠情報記憶部２１０に記憶された錠情報を取得する（ステップＳ７０３）。鍵照合部２０２は、電子鍵装置５００から送信された鍵情報と錠情報を照合、すなわち錠情報に応じた鍵情報であるか否かを判断する（ステップＳ７０４）。
【００５８】
錠情報に応じた鍵情報であると判断した場合は（ステップＳ７０４：Ｙｅｓ）、施解錠部２０３は施解錠を行う（ステップＳ７０５）。これにより、警備領域に出動した隊員は建物の出入口扉を解錠して内部を確認することができ、確認後施錠することができる。錠情報に応じた鍵情報でないと判断した場合は（ステップＳ７０４：Ｎｏ）、施解錠は行われない。なお、この場合は、エラーメッセージやエラー音を出力するようにしてもよい。
【００５９】
鍵照合部２０２は、ログ情報記憶部２２０に隊員識別情報、操作日時、照合結果、施解錠の記録等の操作履歴を格納する（ステップＳ７０６）。このようなログ情報を利用することによって、出入口扉に対する操作履歴を確認することができる。
【００６０】
このように、警備領域で異常が検知され、警報が監視センタに送信された場合に警備領域の建物の出入口扉に対応する鍵情報を、鍵情報受渡装置を介して電子鍵装置に送信することにより、警備領域に出動して警報に対応する隊員に即座に鍵を渡すことができるため、現場へ到着する時間が早くなり、迅速な対応が可能となる。
【００６１】
また、隊員が所持する電子鍵装置に格納される鍵情報に対して使用可能期間、例えば１１月１日〜１１月３日のような日付や、８：００〜１０：００のような時間帯、または使用可能回数を設定することにより、万一電子鍵装置を紛失した場合であっても、他人に悪用される可能性を低減することができる。なお、鍵情報に対する使用制限は、上述した設定条件を組合わせて設定してもよい。
【００６２】
また、警備装置１００がさらに監視領域を撮像する監視カメラを備え、監視カメラによって撮像された画像情報および撮像日時と、電子錠装置２００や電子鍵装置５００が記憶しているログ情報をシステム内に読み込み、画像情報とログ情報として記憶された施解錠の記録を関係付けることによって、出入口扉近辺の警備領域を撮像した画像情報を容易に管理することができ、施解錠した人物を容易に特定することができる。このような画像情報を容易に管理する画像管理システムについての説明は、後述する第３の実施の形態で詳細に説明する。
【００６３】
本実施の形態にかかる監視センタ３００や鍵情報受渡装置４００は、ＣＰＵ（Central Processing Unit）などの制御装置と、ＲＯＭ（Read Only Memory）やＲＡＭ（Random Access Memory）などの記憶装置と、ＨＤＤ（Hard Disk Drive）、ＣＤドライブ装置などの外部記憶装置と、ディスプレイ装置などの表示装置と、キーボードやマウスなどの入力装置を備えており、通常のコンピュータを利用したハードウェア構成となっている。
【００６４】
なお、鍵情報データベース３１０や隊員情報データベース３２０は、ＨＤＤ、光ディスク、メモリカードなどの一般的に利用されているあらゆる記憶媒体により構成することができる。
【００６５】
（第２の実施の形態）
第２の実施の形態について、添付図面を参照して説明する。第２の実施の形態にかかる鍵管理システムは、警報が送信された警備領域の建物の出入口扉を施解錠することができる鍵情報を隊員が所持する携帯端末に送信し、送信された鍵情報を電子鍵装置に送信し、格納する。鍵情報が格納された電子鍵装置を用いて、警備領域の出入口扉に設置された電子錠装置を解錠する。
【００６６】
本発明が適用される鍵管理システムの構成例について、第１の実施の形態と異なる部分を説明する。他の部分については第１の実施の形態と同様であるので、上述した説明を参照し、ここでの説明を省略する。図８は、第２の実施の形態にかかる鍵管理システムの構成を示すブロック図である。
【００６７】
本実施の形態にかかる鍵管理システム２０は、警備装置１００と、電子錠装置２００と、監視センタ８００と、携帯端末７００と、電子鍵装置５００とを備えている。ここで、警備装置１００と、電子錠装置２００と、電子鍵装置５００の構成、機能は、第１の実施の形態と同様であるので、説明を省略する。
【００６８】
監視センタ８００は、警備装置１００から送信された警報情報と警備装置識別情報とを受信するとともに、警備装置識別情報に対応する鍵情報を携帯端末７００に送信する。監視センタ８００は、さらに送受信部３０１と、鍵情報特定部３０２と、隊員選択部３０３と、鍵情報データベース３１０と、隊員情報データベース８２０とを備える。ここで、送受信部３０１と、鍵情報特定部３０２と、隊員選択部３０３と、鍵情報データベース３１０の構成、機能は、第１の実施の形態と同様であるので、説明を省略する。
【００６９】
隊員情報データベース８２０は、出動可能な隊員に関する情報を格納する。図９は、隊員情報データベースのデータ構成の一例を示す説明図である。隊員情報データベース８２０は、隊員識別情報と、隊員状態情報と、隊員が所持する携帯端末アドレスとを対応付けて記憶する。
【００７０】
携帯端末７００は、図示しない送受信部、制御部、表示部、操作部、音声通話部などから構成されており、公知の携帯電話と同様の構成である。送受信部は、ネットワークから無線でデータの送受信を行い、制御部は携帯端末の各種の制御を行う。表示部は、送信されたデータまたは入力されたデータの表示を行い、操作部は、データの入力を行う。音声通話部は、警備装置から送信される情報を音声データとして受信し出力するとともに、警備装置付近にいる利用者との音声通話を行う。なお、携帯端末として、公知のＰＤＡ（Personal Digital Assistants）を用いてもよい。携帯端末７００は、隊員それぞれが所持し、監視センタ８００からネットワーク６００を介して送信された鍵情報を送受信部で受信し、受信した鍵情報を電子鍵装置５００に赤外線通信のような無線通信で送信する。
【００７１】
次に、以上のように構成されている鍵管理システム２０による鍵管理処理について説明する。警備装置１００での処理は、上述した処理と同様であるため、上述の説明を参照し、ここでの説明を省略する。次に、監視センタ８００での処理を説明する。図１０は、監視センタの送受信部、鍵情報特定部、隊員選択部が行う鍵情報特定・送信処理手順を示すフローチャートである。
【００７２】
本実施の形態にかかる鍵情報特定・送信処理の手順は、図５に示すフローチャートとほぼ同様であるので、異なる部分のみ説明する。ステップＳ１００１〜ステップＳ１００３は、図５での説明を参照し、ここでの説明を省略する。
【００７３】
ステップＳ１００４において、送受信部３０１は隊員情報データベース８２０から選択した隊員識別情報に対応する携帯端末のアドレスを取得する（ステップＳ１００４）。送受信部３０１は、鍵情報を携帯端末７００に送信する（ステップＳ１００５）。なお、隊員の所持している携帯端末７００がＧＰＳ（Global Positioning System）機能を備えている場合は、現場から所定の範囲に出動している隊員を検索し、所定の範囲内に存在する隊員の携帯端末７００に対して鍵情報を送信するようにしてもよい。
【００７４】
次に、携帯端末７００および電子鍵装置５００の処理を説明する。図１１は、携帯端末および電子鍵装置の通信部が行う鍵情報受渡処理手順を示すフローチャートである。
【００７５】
携帯端末７００は、監視センタ３００から送信された鍵情報を受信する（ステップＳ１１０１）。隊員は、所持している携帯端末７００を電子鍵装置５００の通信部５０１の近傍に近づける。携帯端末７００は、鍵情報を電子鍵装置５００に送信する（ステップＳ１１０２）。電子鍵装置５００の通信部５０１は、携帯端末７００から送信された鍵情報を受信する（ステップＳ１１０３）。通信部５０１は、携帯端末７００から受信した鍵情報を鍵情報記憶部５１０に格納する（ステップＳ１１０４）。
【００７６】
このように、警報が送信された警備領域の建物の出入口扉の鍵を、携帯端末を介して電子鍵装置に格納することができ、鍵情報を格納した電子鍵装置によって電子錠装置を解錠することができるため、出動中の隊員にも鍵情報を受け渡すことが可能となるため、警報に対する迅速な対応を行うことができる。
【００７７】
上述した実施の形態の変形例である他の鍵管理システムについて説明する。本実施の形態では、清掃や工事等で建物の鍵が必要な際に鍵を管理している清掃会社や工事会社の担当者が所持している電子鍵装置に携帯端末を介して鍵情報を送信し、送信された鍵情報で電子錠装置を施解錠する。図１２は、他の実施の形態にかかる鍵管理システムの構成の一例を示すブロック図である。本実施の形態にかかる鍵管理システムの構成例について、第２の実施の形態と異なる部分を説明する。他の部分については第２の実施の形態と同様であるので、上述した説明を参照し、ここでの説明を省略する。
【００７８】
本実施の形態にかかる鍵管理システム２５は、警備装置１００と、電子錠装置２００と、監視センタ９００と、携帯端末７００と、電子鍵装置１０００とを備えている。ここで、警備装置１００と、電子錠装置２００の構成、機能は、第１の実施の形態と同様であり、携帯端末７００の構成、機能は、第２の実施の形態と同様であるので、説明を省略する。
【００７９】
監視センタ９００は、建物の鍵を施解錠する立会い者を選択し、選択された立会い者が所持する電子鍵装置１０００に携帯端末７００を介して鍵情報を送信する。監視センタ９００は、さらに送受信部３０１と、立会い者選択部９０３と、鍵情報データベース９１０と、立会い者情報データベース９２０とを備える。ここで、送受信部３０１の構成、機能は、第１の実施の形態と同様であるので、説明を省略する。
【００８０】
立会い者情報データベース９２０は、警備対象である建物の鍵を施解錠する立会い者に関する情報を格納する。立会い者情報データベース９２０は、上述した図９とほぼ同様のデータ構成であり、隊員識別情報に代えて立会い者識別情報、隊員状態情報に代えて立会い者状態情報が格納される。
【００８１】
鍵情報データベース９１０は、警備対象である建物を識別する情報と、建物に設定されている錠に応じた鍵情報を格納する。鍵情報データベース９１０は、上述した図２とほぼ同様のデータ構成であり、警備装置識別情報に代えて建物識別情報が格納される。
【００８２】
立会い者選択部９０３は、警備対象である建物に派遣され、施錠解錠を行う立会い者を選択する。例えば、立会い者情報データベース９２０から立会い者識別情報を取得し、取得された立会い者識別情報を画面に表示し、表示された立会い者識別情報を指示することによって選択する。立会い者選択部９０３は、選択された立会い者識別情報に対応する携帯端末アドレスを取得する。さらに、送受信部３０１は、鍵情報データベース９１０から取得した鍵情報を携帯端末アドレスに送信する。
【００８３】
電子鍵装置１０００は、上述した電子鍵装置５００とほぼ同様の機能、構成を備えている。立会い者識別情報記憶部１０２０は、立会い者それぞれが電子鍵装置１０００を所持している場合は、立会い者を識別する情報を格納している。なお、立会い者識別情報に代えて電子鍵装置１０００を識別する情報を格納し、監視センタ９００において立会い者識別情報と鍵識別情報を対応付けるようにしてもよい。携帯端末７００から鍵情報を送信する際に、立会い者識別情報や鍵識別情報を照合するようにすれば、さらにセキュリティが向上する。
【００８４】
従来、一般的な鍵によって警備対象の建物を清掃や工事等のために施解錠する場合は、警備会社の社員が現場へ鍵を持っていく必要があり、各建物で同時間（例えば、朝８時）に作業を開始するようにスケジュールされている場合には、現場ごとに社員を派遣する必要があった。また、作業時間をずらして一人の社員が対応する場合でも、１つの現場での作業に遅れが生じると、それ以降の現場での作業の開始が遅れ、清掃会社や工事会社を待たせることとなり、予定していた作業時間が超過して余分な費用が生じてしまう場合があった。
【００８５】
しかしながら、上述したような構成を備える鍵管理システム２５を適用することによって、清掃会社や工事会社の担当者（立会い者）に電子鍵装置を所持してもらい、作業を行う都度必要な鍵情報を送信することによって、警備会社の担当者が現場に行く必要がなくなるため、警備会社の作業負担が大幅に削減できる。また、鍵情報は、上述したように電子錠装置２００に対して施解錠が可能な時間帯、期間や回数を設定することができるため、本来の作業以外に使用することはできず、セキュリティ面でも安全である。また、施解錠の記録は、ログ情報として電子鍵装置１０００および電子錠装置２００のいずれにも格納されるため、ログ情報によって作業履歴を確認することができる。
【００８６】
上述した実施の形態では、警備会社が警備対象の鍵を管理する場合について説明したが、警備会社のほか、他の鍵管理に利用することもできる。例えば、不動産会社での物件の案内で適用することによって、物件を確認したい顧客自身に電子鍵装置１０００を預けることによって、不動産会社の担当者が現場に行く必要がなくなり不動産会社の作業負担を軽減することもできる。
【００８７】
なお、本実施の形態では、鍵情報を、携帯端末７００を介して電子鍵装置１０００に送信する場合について説明したが、第１の実施の形態で説明した場合と同様に鍵情報受渡装置４００を介して鍵情報の受渡を行ってもよい。多くの顧客が契約している清掃会社等では、清掃会社に鍵情報受渡装置４００を設置してもよい。
【００８８】
（第３の実施の形態）
第３の実施の形態について、添付図面を参照して説明する。第３の実施の形態にかかる画像管理システムは、電子錠装置が設置されている監視領域を撮像した画像情報を記憶部に記憶し、記憶された大量の画像情報の中から電子鍵装置が電子錠装置を施解錠した操作履歴であるログ情報を用いて、必要な画像情報を検索して表示する。
【００８９】
本発明が適用される画像管理システムの構成例について説明する。図１３は、第３の実施の形態にかかる画像管理システムの構成の一例を示すブロック図である。本実施の形態にかかる画像管理システム３０は、撮像装置１１００と、電子錠装置１５００と、画像監視装置１２００と、ログ情報収集装置１３００と、電子鍵装置１４００とを備えている。
【００９０】
電子錠装置１５００は、さらに通信部２０１と、鍵照合部２０２と、施解錠部２０３と、錠情報記憶部２１０と、ログ情報記憶部２２０と、錠ＩＤ記憶部１５３０とを備えている。ここで、通信部２０１と、鍵照合部２０２と、施解錠部２０３と、錠情報記憶部２１０と、ログ情報記憶部２２０の構成、機能は、第１の実施の形態と同様であるので、上述した説明を参照し、ここでは異なる点のみ説明する。錠ＩＤ記憶部１５３０は、画像管理システム３０において１つまたは複数存在する電子錠装置１５００それぞれを識別する錠識別情報（以下、錠ＩＤという）を記憶している。
【００９１】
撮像装置１１００は、画像監視装置１２００が監視する１つまたは複数の監視領域それぞれに配置されている。監視領域は、撮像装置１１００が監視画像を撮像する領域であり、建物や部屋、金庫、薬品庫等の扉に設置されている電子錠装置１５００を含む建物出入口近傍や部屋全体等の領域である。このような監視領域を撮像することによって電子錠装置１５００を操作する人物を撮像することができる。撮像装置１１００は、さらに監視カメラ１１０１と、画像情報取得部１１０２と、送受信部１１０３と、画像情報圧縮部１１０４と、タイマ部１１０５と、画像情報記憶部１１１０と、監視カメラＩＤ記憶部１１２０と、ＶＰＮルータ１１０６とを備えている。なお、画像情報取得部１１０２、送受信部１１０３、画像情報圧縮部１１０４、タイマ部１１０５、画像情報記憶部１１１０、監視カメラＩＤ記憶部１１２０およびＶＰＮルータ１１０６の全部または一部は、監視カメラ１１０１の躯体内に格納されていてもよい。
【００９２】
監視カメラ１１０１は、監視領域を撮像する。タイマ部１１０５は、時刻を計測する。画像情報取得部１１０２は、監視カメラ１１０１が撮像した画像情報およびタイマ部１１０５によって計測された撮像時刻を取得する。
【００９３】
画像情報圧縮部１１０４は、画像情報取得部１１０２によって取得された画像情報を独自の画像圧縮技術を用いて圧縮する。例えば、公知画像圧縮技術である高品位ストリーミング圧縮フォーマット（ＭＬ−ＪＰＥＧ：Multi Layer JPEG）で圧縮する。このような技術で圧縮することにより、画像情報を記憶する記憶容量やネットワークを介して通信するデータ量を削減するとともに、独自のフォーマットを用いることによって画像情報の改ざんやハッキングを防止することができる。
【００９４】
画像情報記憶部１１１０は、画像情報圧縮部１１０４によって圧縮された画像情報および撮像時刻を対応付けて記憶する。監視カメラＩＤ記憶部１１２０は、監視カメラ１１０１を識別する監視カメラ識別情報（以下、監視カメラＩＤという）を記憶している。
【００９５】
送受信部１１０３は、監視カメラＩＤ記憶部１１２０に記憶された監視カメラＩＤと撮像時刻と画像情報圧縮部１１０４によって圧縮された画像情報を、ＶＰＮルータ１１０６を介して画像監視装置１２００に送信する。監視領域を撮像するたびに画像監視装置１２００に送信することにより、通信回線の占有負荷を分散することができる。また、送受信部１１０３は、一定時間ごとや予め定められた時間に監視カメラＩＤ記憶部１１２０に記憶された監視カメラＩＤと、画像情報記憶部１１１０に記憶された撮像時刻および画像情報を、ＶＰＮルータ１１０６を介して画像監視装置１２００に送信してもよい。
【００９６】
ＶＰＮルータ１１０６は、上述したＶＰＮルータ３０４と同様の機能、構成を備え、画像監視装置１２００のＶＰＮルータ１２０６との間で暗号化やＶＰＮ処理を行い、ＶＰＮルータ間に仮想施設網によるトンネルを構築する。撮像装置１１００と画像監視装置１２００との間で画像情報等のデータを送受信する場合に、ＶＰＮトンネル内を通過させることによってセキュリティを向上させることができる。
【００９７】
画像監視装置１２００は、１つまたは複数の撮像装置１１００それぞれが撮像した画像情報を蓄積するとともに、蓄積した画像情報を表示する。画像監視装置１２００は、さらに送受信部１２０１と、画像検索部１２０２と、操作部１２０３と、表示部１２０４と、画像情報伸張部１２０５と、ＶＰＮルータ１２０６と、撮像画像情報記憶部１２１０と、ログ情報記憶部１２２０と、設置情報データベース１２３０と、所持情報データベース１２４０とを備えている。なお、画像監視装置１２００では、撮像装置１１００から送信された画像情報をリアルタイムに表示し、監視領域の監視を行ってもよい。
【００９８】
送受信部１２０１は、撮像装置１１００からＶＰＮルータ１２０６を介して送信された監視カメラＩＤと撮像時刻と画像情報を受信し、受信した監視カメラＩＤと撮像時刻と画像情報とを対応付けて撮像画像情報記憶部１２１０に格納する。また、送受信部１２０１は、ログ情報収集装置１３００からＶＰＮルータ１２０６を介して送信されたログ情報を受信し、受信したログ情報をログ情報記憶部１２２０に格納する。
【００９９】
撮像画像情報記憶部１２１０は、撮像装置１１００から送信された監視カメラＩＤと撮像時刻と圧縮された画像情報とを対応付けて記憶する。図１４は、撮像画像情報記憶部のデータ構成の一例を示す説明図である。図１４に示すように、例えば、監視カメラＩＤとして“ＣＡＭ００１”、撮像時刻として“２００６．１２．２３  ０９：０３：４１”、圧縮された画像情報“ＰＩＣ×××××”が対応付けて記憶されている。
【０１００】
ログ情報記憶部１２２０は、電子鍵装置１４００から送信されたログ情報を記憶する。図１５は、ログ情報記憶部のデータ構成の一例を示す説明図である。ログ情報記憶部１２２０は、鍵ＩＤと、錠ＩＤと、施解錠時刻とを対応付けて記憶する。ここで、鍵ＩＤとは、複数存在する電子鍵装置１４００を識別する情報である。錠ＩＤとは、電子鍵装置１４００によって施解錠された電子錠装置１５００を識別する情報である。施解錠時刻とは、電子鍵装置１４００によって電子錠装置１５００が施解錠された時刻である。図１５に示すログ情報には、例えば、鍵ＩＤ“ＫＥＹ００１”の電子鍵装置１４００が、錠ＩＤ“Ｊ００１”の電子錠装置１５００を“２００６．１２．２３０８：４１：２７”に施解錠操作したことが記録されている。なお、ログ情報には、さらに施解錠操作での電子錠装置１５００に記憶されている錠情報と電子鍵装置１４００に記憶されている鍵情報との照合結果等を加えてもよい。
【０１０１】
設置情報データベース１２３０は、監視領域を撮像するために設置されている監視カメラ１１０１と、監視カメラ１１０１が撮像している監視領域に設置されている電子錠情報１５００との対応関係を格納する。図１６は、設置情報データベースのデータ構成の一例を示す説明図である。設置情報データベース１２３０は、錠ＩＤと、監視カメラＩＤとを対応付けて記憶されている。図１６に示す一例では、錠ＩＤ“Ｊ００１”の電子錠装置１５００が設置された監視領域を撮像している監視カメラ１１０１の監視カメラＩＤは、“ＣＡＭ００１”である。
【０１０２】
所持情報データベース１２４０は、電子鍵装置１４００を所持する所持者情報を格納する。図１７は、所持情報データベースのデータ構成の一例を示す説明図である。所持情報データベース１２４０は、所持者ＩＤと、鍵ＩＤとを対応付けて記憶する。所持者ＩＤとは、電子鍵装置１４００を所持する者を識別する情報である。図１７に示すように、所持者ＩＤ“Ｐ０１５”の人物は、鍵ＩＤ“ＫＥＹ００１”の電子鍵装置１４００を所持していることが登録されている。
【０１０３】
操作部１２０３は、撮像画像情報記憶部１２１０に記憶されている画像情報の中から、画像情報を検索するための検索条件の入力を受付ける。図１８は、画像検索条件設定画面の一例を示す説明図である。図１８に示すように、画像情報を検索する条件として、錠ＩＤ、鍵ＩＤまたは鍵所有者ＩＤのいずれかを入力する。また、上述した検索条件に加えて、検索対象期間をさらに設定してもよい。これにより、画像情報をさらに絞込んで検索することができる。
【０１０４】
画像検索部１２０２は、操作部１２０３によって受付けた検索条件に従って、撮像画像情報記憶部１２１０から画像情報を検索する。画像情報伸張部１２０５は、画像検索部１２０２によって検索された、撮像装置１１００の画像情報圧縮部１１０４によって圧縮された画像情報を伸張する。
【０１０５】
表示部１２０４は、画像情報伸張部１２０５によって伸張された画像情報を画面に表示する。図１９は、画像情報検索結果を表示する表示画面の一例を示す説明図である。図１９に示すように、検索条件とともに検索された画像情報、撮像時刻等を複数表示する。なお、検索された画像を表示する画像数は、９画面に限るものではなく任意に設定できる。
【０１０６】
ログ情報収集装置１３００は、電子鍵装置１４００からログ情報を受信し、受信したログ情報を、ネットワークを介して画像監視装置１２００に送信する。ログ情報収集装置１３００は、さらに送受信部１３０１と、通信部１３０２と、ＶＰＮルータ１３０３とを備える。
【０１０７】
通信部１３０２は、電子鍵装置１４００の通信部１４０１から送信されるログ情報を受信する。送受信部１３０１は、通信部１３０２によって受信したログ情報を、ＶＰＮルータ１３０３を介して画像監視装置１２００に送信する。
【０１０８】
電子鍵装置１４００は、上述した第１の実施の形態の電子鍵装置５００とほぼ同様の機能、構成を備え、通信部１４０１と、鍵情報記憶部５１０と、鍵ＩＤ記憶部１４２０と、ログ情報記憶部１４３０と、タイマ部１４０２とを備えている。ここで、鍵情報記憶部５１０は、上述した第１の実施の形態での説明を参照し、ここでの説明を省略する。
【０１０９】
通信部１４０１は、上述した第１の実施の形態での機能、構成に加え、ログ情報収集装置１３００の通信部１３０２にログ情報記憶部１４３０に記憶したログ情報を送信する。鍵ＩＤ記憶部１４２０は、画像監視システム３０において１つまたは複数存在する電子鍵装置１４００を識別する情報（電子鍵装置１４００それぞれに固有の鍵ＩＤ）を記憶する。タイマ部１４０２は、時刻を計測する。施解錠時にタイマ部１４０２によって計測された時刻をログ情報の施解錠時刻とする。
【０１１０】
以上のように構成されている画像管理システム３０による画像管理処理について説明する。まず、電子鍵装置１４００および電子錠装置１５００の処理を説明する。図２０は、電子鍵装置の通信部、電子錠装置の通信部、鍵照合部、施解錠部が行う施解錠処理手順を示すフローチャートである。
【０１１１】
まず、電子鍵装置１４００の通信部１４０１を電子錠装置１５００の通信部２０１に挿入する。電子鍵装置１４００の通信部１４０１は、鍵情報記憶部５１０に記憶された鍵情報と、鍵ＩＤ記憶部１４２０に記憶されている鍵ＩＤを電子錠装置１５００に送信する（ステップＳ１９０１）。
【０１１２】
電子錠装置１５００の通信部２０１は、電子鍵装置１４００から送信された鍵情報と鍵ＩＤを受信する（ステップＳ１９０２）。鍵照合部２０２は、錠情報記憶部２１０に記憶された錠情報を取得する（ステップＳ１９０３）。鍵照合部２０２は、電子鍵装置１４００から送信された鍵情報と錠情報を照合、すなわち錠情報に応じた鍵情報であるか否かを判断する（ステップＳ１９０４）。
【０１１３】
錠情報に応じた鍵情報であると判断した場合は（ステップＳ１９０４：Ｙｅｓ）、施解錠部２０３は錠を施解錠する（ステップＳ１９０５）。錠情報に応じた鍵情報でないと判断した場合は（ステップＳ１９０４：Ｎｏ）、施解錠は行われない。なお、この場合は、エラーメッセージやエラー音を出力するようにしてもよい。鍵照合部２０２は、ログ情報記憶部２２０に鍵ＩＤと錠ＩＤと施解錠時刻とを対応付けたログ情報として格納する（ステップＳ１９０６）。通信部２０１は、ログ情報を電子鍵装置１４００に送信する（ステップＳ１９０７）。
【０１１４】
電子鍵装置１４００の通信部１４０１は、電子錠装置１５００から送信されたログ情報を受信する（ステップＳ１９０８）。通信部１４０１は、ログ情報記憶部１４３０にログ情報を格納する（ステップＳ１９０９）。このように、電子鍵装置１４００が電子錠装置１５００に対して施解錠操作を行うごとにログ情報がログ情報記憶部１４３０に格納されていく。
【０１１５】
次に、電子鍵装置１４００、ログ情報収集装置１３００および画像監視装置１２００によるログ情報収集処理について説明する。図２１は、電子鍵装置の通信部、ログ情報収集装置の通信部、送受信部、画像監視装置の送受信部が行うログ情報収集処理手順を示すフローチャートである。
【０１１６】
まず、電子鍵装置１４００の通信部１４０１をログ情報収集装置１３００の通信部１３０２に挿入する。電子鍵装置１４００の通信部１４０１は、ログ情報記憶部１４３０に記憶されたログ情報を取得する（ステップＳ２００１）。通信部１４０１は、ログ情報収集装置１３００にログ情報を送信する（ステップＳ２００２）。
【０１１７】
ログ情報収集装置１３００の通信部１３０２は、電子鍵装置１４００から送信されたログ情報を受信する（ステップＳ２００３）。送受信部１３０１は、ＶＰＮルータ１３０３を介して画像監視装置１２００にログ情報を送信する（ステップＳ２００４）。
【０１１８】
画像監視装置１２００の送受信部１２０１は、ＶＰＮルータ１２０６を介してログ情報収集装置１３００から送信されたログ情報を受信する（ステップＳ２００５）。送受信部１２０１は、ログ情報記憶部１２２０にログ情報を格納する（ステップＳ２００６）。このように、電子鍵装置１４００それぞれから送信されたログ情報が、画像監視装置１２００に送信され、ログ情報記憶部１２２０に蓄積されることにより、画像管理システム３０内で撮像された画像情報に対する検索キーを蓄積することができる。
【０１１９】
次に、撮像装置１１００および画像監視装置１２００による画像情報収集処理について説明する。図２２は、撮像装置の画像情報取得部、タイマ部、画像情報圧縮部、送受信部、画像監視装置の送受信部が行う画像情報収集処理手順を示すフローチャートである。
【０１２０】
まず、撮像装置１１００の画像情報取得部１１０２は、監視カメラ１１０１が撮像した画像情報を取得する（ステップＳ２１０１）。タイマ部１１０５は、撮像時刻を計測する（ステップＳ２１０２）。画像情報圧縮部１１０４は、取得した画像情報を圧縮する（ステップＳ２１０３）。送受信部１１０３は、監視カメラＩＤ記憶部１１２０に記憶された監視カメラＩＤを取得する（ステップＳ２１０４）。送受信部１１０３は、監視カメラＩＤと撮像時刻と圧縮した画像情報を、ＶＰＮルータ１１０６を介して画像監視装置１２００に送信する（ステップＳ２１０５）。
【０１２１】
画像監視装置１２００の送受信部１２０１は、撮像装置１１００から送信された監視カメラＩＤと撮像時刻と圧縮した画像情報を、ＶＰＮルータ１２０６を介して受信する（ステップＳ２１０６）。送受信部１２０１は、監視カメラＩＤと撮像時刻と圧縮した画像情報を対応付けて撮像画像情報記憶部１２１０に格納する（ステップＳ２１０７）。このように、監視領域を撮像した画像情報は、監視カメラＩＤと撮像時刻とともに蓄積されるため、監視カメラＩＤや撮像時刻を検索キーとして検索することができる。
【０１２２】
次に、画像監視装置１２００による画像検索処理について説明する。図２３は、画像監視装置の操作部、画像検索部、画像情報伸張部、表示部が行う画像検索処理手順を示すフローチャートである。まず、検索条件を錠ＩＤとした場合について説明する。
【０１２３】
操作部１２０３は、検索条件として入力された錠ＩＤを取得する（ステップＳ２２０１）。例えば、上述した図１８の錠ＩＤの欄に、錠ＩＤ“Ｊ００２”が入力された場合“Ｊ００２”を取得する。画像検索部１２０２は、設置情報データベース１２３０から錠ＩＤに対応する監視カメラＩＤを取得する（ステップＳ２２０２）。画像検索部１２０２は、ログ情報記憶部１２２０から検索条件である錠ＩＤに対応する施解錠時刻を取得する（ステップＳ２２０３）。
【０１２４】
画像検索部１２０２は、撮像画像情報記憶部１２１０から監視カメラＩＤおよび施解錠時刻に対応する画像情報を取得する（ステップＳ２２０４）。これにより、検索条件とした錠ＩＤの電子錠装置１５００を施解錠操作した際の画像情報を検索することができる。画像情報伸張部１２０５は、圧縮されている画像情報を伸張する（ステップＳ２２０５）。表示部１２０４は、画像情報を撮像時刻、鍵ＩＤとともに画面に表示する（ステップＳ２２０６）。検索結果を表示する画面の一例は、上述した図１９である。図１９に示す例では、検索条件として“錠ＩＤ：Ｊ００２”、検索された画像情報、撮像時刻と電子錠装置１５００に対して施解錠操作を行った電子鍵装置１４００の鍵ＩＤを表示する。これにより、監視カメラ１１０１で撮像された大量の画像情報の中から、電子錠装置１５００の錠ＩＤ“Ｊ００２”に対して施解錠操作した際の画像情報を容易に検索することができ、表示できる。９画像以上の画像情報が検索された場合は、“前画像へ”または“次画像へ”のボタンを押下することにより、他の検索画像を表示することができる。なお、画像を指示することにより、撮像時刻前後の画像情報をさらに表示するようにしてもよい。これにより、施解錠操作した人物をより確実に確認することができる。
【０１２５】
このように、電子鍵装置１４００のログ情報と監視カメラ１１０１で撮像した画像情報を対応付けることにより蓄積された画像情報の中から、錠を施解錠操作した時刻で画像情報を検索し、検索した画像情報を表示するため、必要とする画像を検索する時間を大幅に短縮することができる。従来、膨大な画像情報の中から錠を施解錠している画像を探し出す場合は、人が目視によって探していたため、撮像時間または早送りで再生したとしても撮像時間の１／２〜１／３の時間が必要であったため、膨大な時間が必要であった。しかし、本実施の形態にかかる画像管理システムでは、必要とする画像を捜索する時間を大幅に削減することができる。
【０１２６】
また、電子錠装置１５００と電子鍵装置１４００とが通信した時刻が施解錠時刻として記憶され、錠に対する施解錠操作をした際の画像情報が検索できるため、監視領域を通行して撮像された画像情報は除かれ、錠に対する施解錠操作をした人物を確実に漏らすことなく、確認することができる。
【０１２７】
さらに、画像監視装置１２００による他の検索条件での画像検索処理について説明する。図２４は、画像監視装置の操作部、画像検索部、画像情報伸張部、表示部が行う画像検索処理手順を示すフローチャートである。検索条件を鍵ＩＤとした場合について説明する。
【０１２８】
まず、操作部１２０３は、検索条件としての鍵ＩＤを取得する（ステップＳ２３０１）。例えば、上述した図１８の鍵ＩＤの欄に、鍵ＩＤ“ＫＥＹ００３”が入力された場合、鍵ＩＤとして“ＫＥＹ００３”を取得する。画像検索部１２０２は、ログ情報記憶部１２２０から検索条件である鍵ＩＤに対応する錠ＩＤと施解錠時刻を取得する（ステップＳ２３０２）。画像検索部１２０２は、設置情報データベース１２３０から鍵ＩＤに対応する監視カメラＩＤを取得する（ステップＳ２３０３）。
【０１２９】
画像検索部１２０２は、撮像画像情報記憶部１２１０から監視カメラＩＤおよび施解錠時刻に対応する画像情報を取得する（ステップＳ２３０４）。これにより、検索条件とした鍵ＩＤの電子鍵装置１４００によって施解錠操作された際の画像情報を検索することができる。画像情報伸張部１２０５は、圧縮されている画像情報を伸張する（ステップＳ２３０５）。表示部１２０４は、画像情報を撮像時刻、錠ＩＤとともに画面に表示する（ステップＳ２３０６）。図２５は、画像情報検索結果を表示する表示画面の一例を示す説明図である。検索結果を表示する画面の一例として図２５に示すように、検索条件“鍵ＩＤ：ＫＥＹ００３”、４画面に検索した画像情報、撮像時刻と錠ＩＤを表示する。これにより、監視カメラ１１０１で撮像された画像情報の中から、電子鍵装置１４００の鍵ＩＤ“ＫＥＹ００３”によって施解錠された際の画像情報を容易に検索することができ、表示して確認できる。４画像以上の画像情報が検索された場合は、“前画像へ”または“次画像へ”のボタンを押下することにより、他の検索画像を表示することができる。なお、画像を指示することにより、撮像時刻前後の画像情報をさらに表示するようにしてもよい。これにより、施解錠した人物をより確実に確認することができる。
【０１３０】
このように、電子鍵装置１４００のログ情報と監視カメラ１１０１で撮像した画像情報を対応付けることにより蓄積された画像情報の中から、特定の鍵で錠を施解錠した時刻で画像情報を検索し、検索した画像情報を表示するため、電子鍵装置１４００ごとの錠の施解錠履歴が画像で容易に確認することができる。
【０１３１】
次に、画像監視装置１２００による他の検索条件での画像検索処理について説明する。図２６は、画像監視装置の操作部、画像検索部、画像情報伸張部、表示部が行う画像検索処理手順を示すフローチャートである。検索条件が所持者ＩＤの場合について説明する。本画像検索処理の手順は、図２４に示すフローチャートとほぼ同様であるので、異なる部分のみ説明する。ステップＳ２５０３〜ステップＳ２５０７は、図２４での説明を参照し、ここでの説明を省略する。
【０１３２】
まず、操作部１２０３は、検索条件としての鍵所持者ＩＤを取得する（ステップＳ２５０１）。例えば、上述した図１８の鍵所持者ＩＤの欄に、鍵所持者ＩＤ“Ｐ０１５”が入力された場合、鍵所持者ＩＤとして“Ｐ０１５”を取得する。画像検索部１２０２は、所持情報記憶部１２４０から検索条件である鍵所持者ＩＤに対応する鍵ＩＤを取得する（ステップＳ２５０２）。以下は、図２４の説明を参照する。
【０１３３】
図２７は、画像情報検索結果を表示する表示画面の一例を示す説明図である。検索結果を表示する画面の一例として図２７に示すように、検索条件“鍵所持者ＩＤ：Ｐ０１５”、検索した画像情報、撮像時刻、錠ＩＤと鍵ＩＤを表示する。これにより、監視カメラ１１０１で撮像された画像情報の中から、鍵を所持している人物（鍵所持者ＩＤ：Ｐ０１５）が所持している電子鍵装置１４００によって施解錠した時刻の画像情報を検索し、表示することができる。１画像以上の画像情報が検索された場合は、“前画像へ”または“次画像へ”のボタンを押下することにより、他の検索画像を表示することができる。なお、画像を指示することにより、撮像時刻前後の画像情報をさらに表示するようにしてもよい。
【０１３４】
このように、電子鍵装置１４００のログ情報と監視カメラ１１０１で撮像した画像情報を対応付けることにより、蓄積された画像情報の中から、特定の人物が所持している鍵で錠を施解錠した時刻での画像情報を検索し、検索した画像情報を表示することができるため、特定の人物が所持する錠の施解錠履歴が画像で容易に確認することができる。
【０１３５】
また、検索画像を確認することにより、特定の人物の行動履歴を把握することができる。さらに、特定の人物が所持していると登録されている鍵によって錠を施解錠された場合に、検索された画像を確認することによって、登録された人物が実際に鍵を使用しているか否かを確認することができる。
【０１３６】
なお、ログ情報収集装置１３００は、独立した装置として説明したが、画像監視装置１２００の機能の一部としてもよい。また、上述したようにログ情報として照合結果を加えることにより、画像情報を検索する際に照合が失敗した場合を検索キーとして検索することができる。また、上述した検索結果を表示した画像において、照合結果も表示することができる。
【０１３７】
上述した実施の形態にかかる画像管理システム３０を、店舗での金庫、レジや、病院での薬品庫等に適用することにより、現金や薬品の収支が合わなくなった際に監視カメラで撮像して蓄積された膨大な画像情報の中から、検索条件にあった画像を容易に検索することができるため、必要な画像を容易に検索でき、作業を誤った人や犯人を容易に特定できる。また、犯罪の抑止力ともなる。
【０１３８】
なお、本実施の形態にかかる画像監視装置１２００やログ情報収集装置１３００は、ＣＰＵなどの制御装置と、ＲＯＭやＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【０１３９】
また、設置情報データベース１２３０や所持情報データベース１２４０は、ＨＤＤ、光ディスク、メモリカードなどの一般的に利用されているあらゆる記憶媒体により構成することができる。
【０１４０】
以上、本発明を第１〜第３の実施の形態を用いて説明してきたが、上述した実施の形態に多様な変更または改良を加えることができる。なお、上述した第１の実施の形態〜第３の実施の形態において説明した構成や機能は、自由に組み合わせることができる。
【図面の簡単な説明】
【０１４１】
【図１】第１の実施の形態にかかる鍵管理システムの構成を示すブロック図である。
【図２】鍵情報データベースのデータ構成の一例を示す説明図である。
【図３】隊員情報データベースのデータ構成の一例を示す説明図である。
【図４】警備装置の検知情報取得部、送受信部が行う警報送信処理手順を示すフローチャートである。
【図５】監視センタの送受信部、鍵情報特定部、隊員選択部が行う鍵情報特定・送信処理手順を示すフローチャートである。
【図６】鍵情報受渡装置の送受信部、通信部、隊員照合部、電子鍵装置の通信部が行う鍵情報受渡処理手順を示すフローチャートである。
【図７】電子鍵装置の通信部、電子錠装置の通信部、鍵照合部、施解錠部が行う施解錠処理手順を示すフローチャートである。
【図８】第２の実施の形態にかかる鍵管理システムの構成を示すブロック図である。
【図９】隊員情報データベースのデータ構成の一例を示す説明図である。
【図１０】監視センタの送受信部、鍵情報特定部、隊員選択部が行う鍵情報特定・送信処理手順を示すフローチャートである。
【図１１】携帯端末および電子鍵装置の通信部が行う鍵情報受渡処理手順を示すフローチャートである。
【図１２】他の実施の形態にかかる鍵管理システムの構成の一例を示すブロック図である。
【図１３】第３の実施の形態にかかる画像管理システムの構成の一例を示すブロック図である。
【図１４】撮像画像情報記憶部のデータ構成の一例を示す説明図である。
【図１５】ログ情報記憶部のデータ構成の一例を示す説明図である。
【図１６】設置情報データベースのデータ構成の一例を示す説明図である。
【図１７】所持情報データベースのデータ構成の一例を示す説明図である。
【図１８】画像検索条件設定画面の一例を示す説明図である。
【図１９】画像情報検索結果を表示する表示画面の一例を示す説明図である。
【図２０】電子鍵装置の通信部、電子錠装置の通信部、鍵照合部、施解錠部が行う施解錠処理手順を示すフローチャートである。
【図２１】電子鍵装置の通信部、ログ情報収集装置の通信部、送受信部、画像監視装置の送受信部が行うログ情報収集処理手順を示すフローチャートである。
【図２２】撮像装置の画像情報取得部、タイマ部、画像情報圧縮部、送受信部、画像監視装置の送受信部が行う画像情報収集処理手順を示すフローチャートである。
【図２３】画像監視装置の操作部、画像検索部、画像情報伸張部、表示部が行う画像検索処理手順を示すフローチャートである。
【図２４】画像監視装置の操作部、画像検索部、画像情報伸張部、表示部が行う画像検索処理手順を示すフローチャートである。
【図２５】画像情報検索結果を表示する表示画面の一例を示す説明図である。
【図２６】画像監視装置の操作部、画像検索部、画像情報伸張部、表示部が行う画像検索処理手順を示すフローチャートである。
【図２７】画像情報検索結果を表示する表示画面の一例を示す説明図である。
【符号の説明】
【０１４２】
１  警備領域
１０  ２０  ２５  鍵管理システム
３０  画像管理システム
１００  警備装置
１０１  センサ
１０２  検知情報取得部
１０３  送受信部
１１０  警備装置情報記憶部
２００  １５００  電子錠装置
２０１  通信部
２０２  鍵照合部
２０３  施解錠部
２１０  錠情報記憶部
２２０  ログ情報記憶部
３００  ８００  ９００  監視センタ
３０１  送受信部
３０２  鍵情報特定部
３０３  隊員選択部
３０４  ＶＰＮルータ
３１０  ９１０  鍵情報データベース
３２０  ８２０  隊員情報データベース
４００  鍵情報受渡装置
４０１  送受信部
４０２  通信部
４０３  隊員照合部
４０４  ＶＰＮルータ
５００  １０００  １４００  電子鍵装置
５０１  １４０１  通信部
５１０  鍵情報記憶部
５２０  隊員識別情報記憶部
５３０  １４３０  ログ情報記憶部
６００  ネットワーク
７００  携帯端末
９０３  立会い者選択部
９２０  立会い者情報データベース
１０２０  立会い者識別情報記憶部
１１００  撮像装置
１１０１  監視カメラ
１１０２  画像情報取得部
１１０３  送受信部
１１０４  画像情報圧縮部
１１０５  タイマ部
１１０６  ＶＰＮルータ
１１１０  画像情報記憶部
１１２０  監視カメラＩＤ記憶部
１２００  画像監視装置
１２０１  送受信部
１２０２  画像検索部
１２０３  操作部
１２０４  表示部
１２０５  画像情報伸張部
１２１０  撮像画像情報記憶部
１２２０  ログ情報記憶部
１２３０  設置情報データベース
１２４０  所持情報データベース
１３００  ログ情報収集装置
１３０１  送受信部
１３０２  通信部
１３０３  ＶＰＮルータ
１４２０  鍵ＩＤ記憶部
１５３０  錠ＩＤ記憶部
【図１】
2008134982.tif 000003
【図２】
2008134982.tif 000004
【図３】
2008134982.tif 000005
【図４】
2008134982.tif 000006
【図５】
2008134982.tif 000007
【図６】
2008134982.tif 000008
【図７】
2008134982.tif 000009
【図８】
2008134982.tif 000010
【図９】
2008134982.tif 000011
【図１０】
2008134982.tif 000012
【図１１】
2008134982.tif 000013
【図１２】
2008134982.tif 000014
【図１３】
2008134982.tif 000015
【図１４】
2008134982.tif 000016
【図１５】
2008134982.tif 000017
【図１６】
2008134982.tif 000018
【図１７】
2008134982.tif 000019
【図１８】
2008134982.tif 000020
【図１９】
2008134982.tif 000021
【図２０】
2008134982.tif 000022
【図２１】
2008134982.tif 000023
【図２２】
2008134982.tif 000024
【図２３】
2008134982.tif 000025
【図２４】
2008134982.tif 000026
【図２５】
2008134982.tif 000027
【図２６】
2008134982.tif 000028
【図２７】
2008134982.tif 000029